(57)【特許請求の範囲】
【請求項１】
通信ケーブルを終端処理するための通信プラグであって、該通信プラグは、
プラグハウジングであって、複数のプラグ端子を備えた前部と、少なくとも１つの前記通信ケーブルおよび該通信ケーブルの複数の導線を受容するための開口部を備えた後部と、前記前部と前記後部との間に延びた側壁と、を備えたプラグハウジングと、
少なくとも部分的に前記プラグハウジング内に配置されたケーブルマネージャおよび歪み緩和カラーと、を具備し、
該ケーブルマネージャおよび歪み緩和カラーは、
前記通信ケーブルを受容するための第１のケーブルトラフを含んだ第１のケーブル管理セクションと、
前記通信ケーブルを受容するための第２のケーブルトラフを含んだ第２のケーブル管理セクションと、
前記第１のケーブル管理セクションと第２のケーブル管理セクションとを接続したブリッジ部分であって、該ブリッジ部分は、少なくとも部分的に前記プラグハウジングの前記前部と前記後部との間に延び且つ前記第１のケーブルトラフの長手方向に略平行な前記第１のケーブル管理セクションの第１の側に沿って、前記第１のケーブル管理セクションに接続されており、前記ブリッジ部分は、少なくとも部分的に前記プラグハウジングの前記前部と前記後部との間において延び且つ前記第２のケーブルトラフの長手方向に略平行な前記第２のケーブル管理セクションの第１の側に沿って前記第２のケーブル管理セクションにも接続されたブリッジ部分と、を含んでいる、通信プラグ。
【請求項２】
前記第１のケーブル管理セクションは、前記第１のケーブル管理セクションの第１の側と反対の第２の側をさらに含み、前記第１のケーブル管理セクションの第２の側はクランプラッチを含み、
前記第２のケーブル管理セクションは、前記第２のケーブル管理セクションの第１の側と反対の第２の側をさらに含み、前記第２のケーブル管理セクションの第２の側は、前記クランプラッチを受容するように形成されたクランプラッチポケット部を含み、
前記第１のケーブル管理セクションおよび前記第２のケーブル管理セクションは、前記クランプラッチが前記クランプラッチポケット部にラッチ係合された場合に、前記通信ケーブルを固定する、請求項１に記載の通信プラグ。
【請求項３】
少なくとも１つの前記第１のケーブルトラフおよび前記第２のケーブルトラフは、前記通信ケーブルと干渉するための複数の突起を含んでいる、請求項１に記載の通信プラグ。
【請求項４】
前記通信ケーブルは厚さを有するケーブル外被を含み、前記複数の突起は高さを有する複数の返しを含み、前記通信プラグが前記通信ケーブルを終端処理した場合に、前記複数の返しは前記ケーブル外被と干渉する、請求項３に記載の通信プラグ。
【請求項５】
前記複数の返しと前記ケーブル外被との間の干渉は干渉深さを有し、該干渉深さは前記ケーブル外被の厚さの半分よりも大きい、請求項４に記載の通信プラグ。
【請求項６】
少なくとも１つの前記第１のケーブルトラフおよび前記第２のケーブルトラフは、緩和スロットを含んでいる、請求項１に記載の通信プラグ。
【請求項７】
少なくとも１つの前記第１のケーブル管理セクションおよび前記第２のケーブル管理セクションは、前記プラグハウジングと相互作用するように形成されたプラグハウジングラッチを含んでいる、請求項１に記載の通信プラグ。
【請求項８】
前記ブリッジ部分は、前記第１のケーブル管理セクションの第１の側および前記第２のケーブル管理セクションの第１の側にヒンジ接続されている、請求項１に記載の通信プラグ。
【請求項９】
前記プラグハウジングの前端に隣接して配置されたロードバーをさらに具備している、請求項１に記載の通信プラグ。
【請求項１０】
導線仕分け部分をさらに具備し、該導線仕分け部分は個々の前記プラグ端子に向かった前記通信ケーブルの複数の前記導線の少なくともいくつかを方向付けている、請求項１に記載の通信プラグ。
【請求項１１】
通信ケーブルを終端処理するための通信プラグであって、該通信プラグは、
側壁を備えたプラグハウジングと、
少なくとも部分的に前記プラグハウジング内に配置されたケーブルマネージャおよび歪み緩和カラーであって、該ケーブルマネージャおよび歪み緩和カラーは、前記通信ケーブルを受容するための第１のケーブルトラフを含んだ第１のケーブル管理セクションと、前記通信ケーブルを受容するための第２のケーブルトラフを含んだ第２のケーブル管理セクションと、全体的に前記第１および第２のケーブルトラフの長手方向に平行な第１および第２のケーブル管理側に沿って、前記第１のケーブル管理セクションと前記第２のケーブル管理セクションとをヒンジ接続したブリッジ部分と、を含んだケーブルマネージャおよび歪み緩和カラーと、
少なくとも部分的に前記プラグハウジング内に配置されたロードバーであって、該ロードバーは前記通信ケーブルの導線を受容する複数の穴を含み、該複数の穴は全体的に前記プラグハウジングの縦の長さ方向に沿って平行に配置されたロードバーと、を具備している、通信プラグ。
【請求項１２】
前記第１のケーブル管理セクションは前記第１のケーブルトラフに略平行な第１の側をさらに含み、前記第２のケーブル管理セクションは前記第２のケーブルトラフに略平行な第１の側をさらに含み、前記ブリッジ部分は、前記第１のケーブル管理セクションの第１の側および前記第２のケーブル管理セクションの第１の側を接続している、請求項１１に記載の通信プラグ。
【発明の詳細な説明】
【技術分野】
【０００１】
近年、費用節減のため、外観を良くするため、ケーブルの柔軟性を高めるため、および、貴重な原料資源を節約するために、通信ケーブルの直径を小さくすることが求められている。
【背景技術】
【０００２】
より小さい直径の導線を使用すれば、具体的には例えば２６、２８および３０ＡＷＧの導線では、ケーブルの直径を減らすことができるが、より緊密な導線管理を行って、プラグ絶縁被覆貫通型端子（ＩＰＣ）と通信コード／ケーブルの導線との間の導通状態継続性を確実にすることが望まれるようになる。より緊密な導線管理の要請に加えて、プラグアセンブリ内のケーブル外被の機械的保定をより高めることも有益である。
【先行技術文献】
【特許文献】
【０００３】
【特許文献１】米国特許第６，８１１，４４５号
【発明の概要】
【発明が解決しようとする課題】
【０００４】
このような保定の維持は、ケーブル直径が小さくなるほど困難になり得る。
【課題を解決するための手段】
【０００５】
本発明は、その１つの実施形態において、プラグハウジングを有する通信プラグと、少なくとも部分的にプラグハウジング内にあるケーブルマネージャと、を備える。ケーブルマネージャは、複数の貫通孔を有するロードバーを有する。ケーブルマネージャは、第１のヒンジ部分を介してロードバーに接続される第１のケーブル管理セクションと、第２のヒンジ部分を介してロードバーに接続される第２のケーブル管理セクションとをさらに含む。
【０００６】
本発明は、その別の実施形態において、通信機器の一品目と、通信機器に接続される通信プラグと、を含む通信システムを備える。通信プラグは、プラグハウジングと、少なくとも部分的にプラグハウジングを持つケーブルマネージャとを含む。ケーブルマネージャは、複数の貫通孔を有するロードバーを有する。ケーブルマネージャは、第１のヒンジ部分を介してロードバーに接続される第１のケーブル管理セクションと、第２のヒンジ部分を介してロードバーに接続される第２のケーブル管理セクションとをさらに含む。
【０００７】
本発明は、そのさらに別の実施形態において、ツイストペアの通信ケーブルと、少なくとも１つの通信プラグと、を含む通信コードの製造方法を含む。方法は、通信ケーブルを通信プラグのケーブルマネージャ内に挿入するステップと、ケーブルマネージャの第１のケーブル管理セクションをケーブルマネージャの第２のケーブル管理セクションに連結するステップと、通信プラグのハウジング内のケーブルマネージャを圧縮するステップと、を含む。
【０００８】
本発明は、そのさらに別の実施形態において、プラグハウジングを有する通信プラグと、少なくとも部分的にプラグハウジング内にあるケーブルマネージャと、を備える。ケーブルマネージャは、第１のケーブル管理セクションおよび／又は第２のケーブル管理セクションの両方、またはいずれか一方にヒンジ接続されるブリッジ部分を含む。第１のケーブル管理セクションおよび／もしくは第２のケーブル管理セクションの両方、またはいずれか一方は、ケーブル軸のあるケーブルトラフを有する。第１のケーブル管理セクションは、少なくとも１つの第１の保定リブ部分を有し、第２のケーブル管理セクションは、第１の保定リブ部分の反対側にある少なくとも１つの第２の保定リブ部分を有する。
【０００９】
本発明は、そのさらに別の実施形態において、ツイストペアの通信ケーブルと、少なくとも１つの通信プラグと、を有する通信コードの製造方法を含む。方法は、通信プラグのケーブルマネージャを開位置として成形するステップと、通信ケーブルの端部を中心にケーブルマネージャを折り畳むステップと、ケーブルマネージャおよび通信ケーブルを通信プラグのハウジング内に挿入するステップと、を含む。
【図面の簡単な説明】
【００１０】
【図１】通信システムの斜視図である。
【図２】本発明の通信プラグの第１の実施形態の部分分解斜視図である。
【図３】図２の通信プラグにおいて、ケーブルおよびケーブルマネージャが部分的にハウジング内に挿入された状態の通信プラグの斜視図である。
【図４】図２の通信プラグにおいて、第１および第２のケーブル管理セクションを互いから離すように折り畳んだ状態のケーブルマネージャの斜視図である。
【図５ａ】図２の通信プラグにおいて、ケーブルの導線をロードバー内に挿入し、第１および第２のケーブル管理セクションを互いから離すように折り畳んだ状態のケーブルマネージャの斜視図である。
【図５ｂ】図２の通信プラグにおいて、ケーブルの導線をロードバー内に挿入し、第１および第２のケーブル管理セクションを互いから離すように折り畳んだ状態のケーブルマネージャの斜視図である。
【図６ａ】図２の通信プラグの底面図である。
【図６ｂ】図２の通信プラグにおける図６ａの線Ａ−Ａの断面図である。
【図７】別のケーブルマネージャを有する本発明の通信プラグの第２の実施形態の部分分解斜視図である。
【図８ａ】図７の通信プラグのケーブルマネージャの斜視図である。
【図８ｂ】図７の通信プラグのケーブルマネージャの斜視図である。
【図９】図７の通信プラグにおける線９−９の断面図である。
【図１０】本発明の通信プラグの第３の実施形態の斜視図である。
【図１１】図１０の通信プラグにおける線１１−１１の断面図である。
【図１２】図１０の通信プラグにおいて、第１および第２のケーブル管理セクションを互いから離すように折り畳んだ状態のケーブルマネージャ／歪み緩和カラー部分の斜視図である。
【図１３】図１２の通信プラグにおいて、第１および第２のケーブル管理セクションを互いに向けて折り畳み、ケーブルを収容した状態のケーブルマネージャ／歪み緩和カラー部分の斜視図である。
【図１４】本発明の通信プラグの第４の実施形態の斜視図である。
【図１５】ケーブルの導線をロードバー内に挿入した状態の図１４のケーブルマネージャの斜視図である。
【図１６】図１４のケーブルマネージャを用いる通信プラグの斜視図である。
【図１７】図１６の通信プラグにおける線１７−１７の断面図である。
【図１８】ケーブルの導線をケーブルマネージャのロードバーに挿入した状態の本発明の通信プラグの第５の実施形態のケーブルおよびケーブルマネージャの斜視図である。
【図１９】第１および第２のケーブル管理セクションを互いから離すように折り畳んだ状態の図１８のケーブルマネージャの斜視図である。
【発明を実施するための形態】
【００１１】
本発明は、通信ケーブル内のツイストペア導線が２６−３０米国ワイヤゲージ規格（ＡＷＧ）である通信ケーブルとともに使用するのに適するプラグである。本発明は、ＣＡＴ５Ｅアプリケーションにおいて具体的に示されているが、ＣＡＴ６、ＣＡＴ６Ａ、およびその他のアプリケーションにも適合できる。本発明は、より大きい、および、より小さい導線ワイヤゲージにも適合できる。
【００１２】
本発明は、図１に示すような通信システム２０において使用されてもよい。通信システム２０は、機器２２に接続される少なくとも１つの通信コード２１を含むことができる。機器２２は図１においてパッチパネルとして図示されているが、機器は、パッシブ機器であってもアクティブ機器であってもよい。パッシブ機器の例は、限定されるものではないが、モジュラー型パッチパネル、パンチダウン型パッチパネル、カプラ型パッチパネル、壁の差込み口などであってもよい。アクティブ機器の例は、限定されるものではないが、データセンター／電気通信室でみられるようなイーサネット（登録商標）スイッチ、ルータ、サーバ、物理層管理システム、およびイーサネット（登録商標）ケーブルを介して電力を供給するＰｏＥ機器であってもよいし、セキュリティ装置（カメラおよびその他のセンサなど）およびドアアクセス機器であってもよいし、仕事場でみられるような電話、コンピュータ、ＦＡＸ機器、プリンタおよびその他の周辺機器であってもよい。通信システム２０は、キャビネット、ラック、ケーブル管理および頭上配線システム、およびその他の同様の機器をさらに含んでもよい。
【００１３】
通信コード２１は、シールドなしツイストペア（ＵＴＰ）ケーブル２３を含んでもよく、より具体的には、このアプリケーションにはＣＡＴ５Ｅケーブルを含んでもよい。しかしながら、本発明は、シールドの有無を問わず、あらゆるＣＡＴ５Ｅ、ＣＡＴ６、ＣＡＴ６Ａ、ＣＡＴ７、ＣＡＴ７Ａおよびその他のツイストペアイーサネット（登録商標）ケーブルに、またその他の種類のケーブルにも、様々な通信ケーブルに適用および実装の両方、またはいずれか一方をなされてもよい。コード２１は、同様の機器２２内に直接終端処理されるその他方の端部（図示略）を有していてもよいし、もう１つの方法として、ＲＪ４５規格、ジャックモジュールカセット、およびその他多数のコネクタタイプ、またはそれらの組み合わせなどの様々なプラグ２６またはジャック部２４として終端処理されてもよい。さらに、コード２１は、ワイヤーハーネス、すなわちケーブルの束に加工されてもよいし、さらに、予め終端処理されたワイヤーハーネスに加工されてもよい。
【００１４】
コード２１は、パッチコード、ゾーンコード、幹線配線、および水平配線を含む様々な構内配線アプリケーションにおいて使用されてもよいが、本発明は、そうしたアプリケーションに限定されるものではない。概して、本発明は、軍用、産業用、通信用、コンピュータ用、データ通信用、海中用およびその他のケーブル配線用途に使用されてもよい。
【００１５】
ここで図２および図３（図３は、図２について１８０度回転されている）を参照すると、プラグアセンブリ２６は、一体化されたロードバー３０を有するケーブルマネージャ２８と、プラグハウジング５０と、を含む。ケーブルマネージャ２８にはケーブル保定機構が含まれている。一体化されたロードバー３０は、ケーブル２３の２６−３０ＡＷＧ絶縁被覆導線４４（図５Ａおよび図５Ｂに示す）を収容できる直径を有する導線用の孔４６（図４〜図５Ａ参照）を有する。
【００１６】
ケーブルマネージャ２８は、分離した歪み緩和カラーおよびケーブルブーツを要することなく、ケーブル導線４４の配置を容易にし、ケーブル保定を向上するという効果がある特徴を含む。ケーブルマネージャ２８は、好ましくは成形されたケーブルマネージャであり、また、好ましくは「開いた」構成（図４）で形成されて、図５ａおよび図５ｂに示す８つの小さい導線４４をその適切なロードバー孔４６内に簡便に装着できるようにする。ロードバーまたはブリッジ部分３０へのこのような直接アクセスは、ケーブルマネージャ２８をヒンジ部分３４とともに成形して、図２に示すように、ケーブルマネージャ２８の２つのケーブル管理セクション１０および１１をケーブル２３上に折り畳んで、モジュラープラグハウジング５０内に最終的に挿入できるように提供することにより達成される。プラグハウジング５０およびプラグ接点（プラグハウジング５０の櫛状部分内）は、特許文献１に記述されたものと同じまたは同様のものである。
【００１７】
ケーブル保定は、ケーブルの外被とケーブルマネージャ２８との間の相互作用により達成される。好ましくは、ケーブルマネージャは、ケーブルの外被を圧縮して強固な締まり嵌めを形成し、ケーブルの外被を反対側のリブ部分との間に捉えるリブ部分を含む。リブ部分は、ケーブルマネージャのケーブル軸と、少なくとも近似的に、同心の中心を有するアレイ状に配置される。１つの実施形態において、図４に示すように、ケーブルマネージャ２８の両方のケーブル管理セクション上に設けられたリブ部分３６Ａ−３６Ｃは、ケーブルマネージャ２８のセクションがヒンジ部分３４に沿って折り畳まれ覆う際に、ケーブル２３の外被に係合する。一時的に、ラッチ３８は図２および図３に示すように係合して、プラグアセンブリ２６の組み立て中に、ケーブル２３がケーブルマネージャ２８から後退して出てしまうことを防ぐ。１つの実施形態において、図示されたように、リブ部分３６Ａは、ケーブルマネージャ２８の第１のケーブル管理セクション１０上に設けられ、また、リブ部分／返し部分３６Ｂおよび３６Ｃは、ケーブルマネージャ２８の第２のケーブル管理セクション１１上に設けられる。好ましくは、リブ部分は、ケーブルマネージャ２８のケーブル管理セクション１０および１１をケーブル２３の周りに折り畳む際に、リブ部分の中心線がケーブル２３の周りにほぼ円周方向に配置されるように構成される。同心円状のリブ部分により、ケーブルの断面をほぼ円形に維持している間にケーブルを締め付けることが可能になり、ケーブル内の導体の相対的な位置もまた維持する。リブ部分３６Ａ−３６Ｃは、ケーブル２３の外被内へしっかりと押圧するが、ケーブルの相対的な真円度は、導線対構成の相対的な対称性に沿って、概して維持される。
【００１８】
ケーブル２３の外被とケーブルマネージャ２８との間の最終的な圧縮は、ケーブルマネージャ２８がプラグハウジング５０内に挿入される際に達成される。図３は、ケーブルマネージャ２８およびケーブル２３をプラグハウジング５０内に部分的に挿入した様子を示す。ケーブルマネージャ２８は、振れ傾斜部分５８を含む。成形されたケーブルマネージャ２８およびケーブル２３がプラグハウジング５０に挿入されると、振れ傾斜部分５８は、プラグハウジング５０の壁５３に係合する。この相互作用は、ケーブルマネージャ２８をさらに閉鎖させ、ケーブル２３を圧縮およびわずかに変形させて、ケーブル２３がリブ部分３６Ａ−Ｃの間に十分に保定されるようにする。リブ部分の高さは、ケーブルの外被の厚さの深さまで押圧するように設計されるが、同時に、ケーブル内のツイストペア線の撚りおよび間隔を大幅に乱すこともまた防ぐように設計される。リブ部分の高さは、例えば、ケーブル全体の直径、外被の材料、外被の厚さなど、またはこれらの組み合わせに依存してもよい。ケーブルマネージャ２８は、追加的なリブ機構３７を含むことができるが、リブ機構３７は、同心円状のリブ部分３６Ａ−３６Ｃと同程度の効果はない傾向がある。
【００１９】
図６ａは、本発明の１つの実施形態によるプラグの底面図であり、図６ｂは、図６ａの線Ａ−Ａに沿った断面図である。図６ｂを参照すると、ケーブル２３およびケーブルマネージャ２８がプラグハウジング５０から後退して出てしまうことを防ぐために、ケーブルマネージャ２８がプラグハウジング５０内に完全に着座される際に、ケーブルマネージャラッチ３２は、プラグハウジング５０に周縁部５６において係合する。
【００２０】
図７−図９の実施形態において、プラグ６０は、少なくとも部分的にプラグハウジング５０内にあるケーブルマネージャ６２とともに、プラグハウジング５０を含む。プラグ２６のケーブルマネージャ２８と同様に、ケーブルマネージャ６２は、第１のケーブル管理セクション６６および第２のケーブル管理セクション６８にヒンジ接続されるロードバー／ブリッジ部分６４（一体化されたロードバー３０は、ケーブルマネージャ２８内にブリッジ部分／ロードバーを備える）を含む。さらにケーブルマネージャ２８と同様に、第１のケーブル管理セクション６６および第２のケーブル管理セクション６８は、ケーブル軸７２を有するケーブルトラフ７０Ａ、７０Ｂを含み、第１のケーブル管理セクション６６は、少なくとも１つの第１の保定リブ部分７４を有し、第２のケーブル管理セクション６８は、リブ部分７４の反対側にある少なくとも１つの第２の保定リブ部分７６を有する。リブ部分／返し部分７４、７６は、ケーブルマネージャ６２上にアレイ状に配置され、より具体的には、リブ部分からなるアレイは、ケーブルトラフ７０Ａ、７０Ｂ上の少なくとも一部分に存在し、そのアレイ（ケーブルトラフ７０Ａ、７０Ｂにおけるリブ部分７４、７６の一群）は、ケーブルマネージャ６２のケーブル軸７２とほぼ同心の中心７８（図９）を有する。
【００２１】
リブ部分７４、７６は、対応するケーブルトラフ７０Ａまたは７０Ｂにおいて矩形の土台を有する角錐台形である。概して閉位置で成形され、歪み緩和カラーを介してケーブルを引く必要がある特許文献１に記述された歪み緩和カラーとは異なり、ケーブルマネージャ２８、６２は、開位置で成形された後、ケーブル２３の周囲に折り畳まれる。ケーブルマネージャのそのような成形および折り畳みは、ケーブルマネージャを介してリブ部分に対してケーブルを引く必要がないため、リブ部分を設計する際により高い自由度を提供する。その結果として、効果的なリブ部分は、本発明によってより様々な方法で設計されてもよく、ケーブルマネージャの成形のための引き通しダイを依然として使用しながら、リブ部分の長手方向の領域における切れ目を含む、より様々な形状で、ケーブルトラフに配置されてもよい。引き通しダイは、プラグを成形するために必要な主要な費用を低減する。本発明のプラグアセンブリ／コードの製造効率および比較的低いコストを同時に維持しながら、プラグアセンブリ／コードの引っ張り試験における十分な歪み緩和が、特に直径の小さいケーブルにおいて得られる。本発明によるプラグは、電気的性能が著しく低下するような仕方でケーブル内のより線を乱すことなく、小さい直径のケーブルを十分に保定できる。ケーブルマネージャ６２は、位置合わせピン７５および位置合わせガイド部分７７を、それぞれ対応するセクション６６および６８に含んでもよい。
【００２２】
別の実施形態において、本発明によれば、プラグアセンブリ８０（図１０−図１３）は、ケーブル２８に接続されるケーブルマネージャ／歪み緩和カラー８２と、ブーツ８４と、導線仕分け部分８６と、ロードバー８８と、プラグハウジング５０とを含む。ブーツ８４と、導線仕分け部分８６と、ロードバー８８と、およびプラグハウジング５０は、特許文献１に記述されたものと同じまたは同様のものであってもよい。
【００２３】
ケーブルマネージャ／歪み緩和カラー８２は、第１のケーブル管理セクション９２および第２のケーブル管理セクション９４にヒンジ接続されるブリッジ部分９０を含む。第１のケーブル管理セクション９２および第２のケーブル管理セクション９４は、ケーブル軸９８のあるケーブルトラフ９６Ａ、９６Ｂをそれぞれ有する。第１のケーブル管理セクション９２は、少なくとも１つの第１の保定リブ部分１００を有し、第２のケーブル管理セクション９４は、少なくとも１つの第２の保定リブ部分１０２を有する。リブ部分１００、１０２は、ケーブルマネージャ８２上にアレイ状に配置され、より具体的には、リブ部分からなるアレイは、ケーブルトラフ９６Ａ、９６Ｂ上の少なくとも一部分に存在し、そのアレイ（ケーブルトラフ９６Ａ、９６Ｂにおけるリブ部分１００、１０２の一群）は、ケーブルマネージャ８２のケーブル軸９８とほぼ一致する中心１０４（図１１）を有する。
【００２４】
緩和スロット１０６は、ラッチ１０８の上方に配置されて、プラグハウジング５０への組み立て中にラッチ１０８が反ることができるようにする。緩和スロット１０６により設けられた隙間によって、材料の応力が許容範囲内に保たれ、歪み緩和カラー８２とプラグハウジング５０との間に、頑強で、繰り返し可能なインタフェースがもたらされて、繰り返し荷重または振動荷重がかかる間、係合状態が保たれるようにする。
【００２５】
歪み緩和カラー８２は、射出成型プロセスを用いるポリマーで構成されてもよい。図１２は、成形されたままの、開状態の歪み緩和カラー８２を示す。図１３は、ケーブルマネージャ８２が部分的に組み立てられた状態で示す。ケーブルマネージャ２８および６２と同様に、図示のように歪み用カラー８２を方向づけることにより、歪み緩和返し部分／リブ部分１００、１０２および緩和スロット１０６を、成形品の引かれる方向に対して平行に位置合わせできる。これにより、歪み緩和カラー８２は、引き通し型を用いて成形されることができ、これは、型の製造において、複雑な側面の可動部または型持たせを組み込むよりも大幅に廉価である。プラスチック製のヒンジ部分１１０により、歪み緩和カラー８２が、プラグアセンブリ８０に求められるように、折り畳み可能になる。歪み緩和カラー８２は、クランプラッチ１１２をポケット部１１４に係合させると、閉じられて固定される。歪み緩和カラー８２をケーブル２３上に組み立てた後、プラグハウジング５０およびブーツ８４はスライドして係合し、歪み緩和カラー８２を圧縮する。プラグ接点は圧着されてケーブル導線を貫通し、プラグアセンブリ８０を完成する。
【００２６】
歪み緩和カラー８２は、ケーブル２８を包み込み、ケーブル上にスライドしないため、リブ部分／返し部分１００、１０２は、締め代深さにおいて比較的高くすることができる。ケーブルマネージャ８２を開位置で成形することにより可能となった、より高い返し部分１００、１０２、および複数の返し１００、１０２は、ケーブル２３への係合を最大化し、ケーブル２３にかかる引っ張り力に起因して、ケーブル２３が歪み緩和カラー８２から自由にスライドする危険性を効果的に和らげる。
【００２７】
プラグ２６、６０、及び／又は８２のいずれかは、通信システム２０で使用されてもよい。
【００２８】
本発明による別の実施形態において（図１４−図１７）、プラグ１５６は、一体化されたロードバー１６８を有するケーブルマネージャ１６０と、ハウジング１６１と、８つの絶縁被覆貫通型接点１７１と、を含む。一体化されたロードバー１６８は、導線用の孔１６３を有して、２８ＡＷＧケーブル１２８のより小さい直径の導線１２９を収容する。ケーブル保定機構、すなわち放射状の返し部分１６２Ａおよび１６２Ｂは、放射状のケーブルポケット部またはトラフ１８１Ａおよび１８１Ｂから突出し、ヒンジ部分１６６および１６７の周囲で折り畳まれた際に（ヒンジ部分は、ケーブルマネージャの両面にある）、ケーブルマネージャ１６０がケーブル１２８を堅く把持できるようにする。放射状の返し部分１６２Ａおよび１６２Ｂを、放射状のケーブルポケット部１８１Ａおよび１８１Ｂに沿って互い違いに配置することにより、図１７に示すように、ケーブルの外被１３１を、放射状の返し部分１６２Ａおよび１６２Ｂの周囲に移動させる。ケーブル１２８は、圧縮されて、ケーブル保定を向上し、ケーブル１２８がプラグ１５６から引き抜かれるのを防ぐ。
【００２９】
最終組み立て後、ヒンジ部分１６６または１６７の破砕が発生した場合におけるプラグの機能的な不具合を除去するため、連動する位置合わせ機構１６４および１７４を使用して、位置合わせし、また、２つの半分部分１６５Ａおよび１６５Ｂの間の動きを最小化する。ポケット機構１７２が含まれて、成形中に形成されるひけマークを最小化し、また、追加的な位置合わせ機構１７０のための対になるポケット部を兼ねる。テーパ状の孔機構１６５により、導線１２９のロードバー孔１６３内への位置合わせが容易になる。陥凹ポケット部１７２、１７８および１８０は、部品全体にわたってより均等な壁厚を確保することにより、成形品ひけの問題を低減する。ケーブルマネージャ１６０は、成形された識別記号１７６を含んで、ケーブルマネージャ１６０の対応するゲージのケーブルとの適切な使用を確実にする。
【００３０】
本発明による別の実施形態において、３０ＡＷＧバージョンのケーブルマネージャ１９０を図１８および１９に示す。ケーブルマネージャ１９０は、ロードバー１９２内にある小さい導線用の孔１９４、ならびに、より小さいケーブル締め付け直径２００Ａおよび２００Ｂを除き、ケーブルマネージャ１６０と本質的に同等に機能する。ケーブルマネージャ１９０は、成形された識別記号１９８を含んで、正しいケーブルマネージャの対応する３０のゲージのケーブルとの顧客による適切な使用を確実にする。上述の特徴部分の変更により、より小さい３０ＡＷＧのケーブル１９６および導線１９７が適用可能になる。
【００３１】
プラグ２６、６０、８２、１５６のいずれか、またはこれらの組み合わせは、通信システム２０で使用されてもよい。
【００３２】
本発明を、好ましい設計を有するものとして説明してきたが、本発明は、本開示の精神と範囲内においてさらに改良してもよい。したがって本出願は、本発明の一般原則を使用する本発明のあらゆる変形、用途、または適合を包含することを意図している。さらに、本出願は、本発明が属する分野および添付する請求項の範囲内において公知の、または慣例的実施の範囲内に入るような本開示からの逸脱を包含することを意図している。
【符号の説明】
【００３３】
１０，６６，９０  ・・・第１のケーブル管理セクション
１１，６８，９４  ・・・第２のケーブル管理セクション
２０  ・・・通信システム
２１  ・・・通信コード
２３，１２８，１９６  ・・・ケーブル
２４  ・・・ジャック部
２６，６０，８２，１５６  ・・・プラグ
２８，６２，１６０，１９０  ・・・ケーブルマネージャ
３０，８８，１６８，１９２  ・・・ロードバー
３４  ・・・ヒンジ部
３７  ・・・追加的なリブ機構
４４  ・・・ケーブル導線
５０  ・・・プラグハウジング
６４  ・・・ロードバー／ブリッジ部分
７２，９８  ・・・ケーブル軸
７４，１００  ・・・第１の保定リブ部分
７６，１０２  ・・・第２の保定リブ部分
８２  ・・・ケーブルマネージャ／歪み緩和カラー
８４  ・・・ブーツ
８６  ・・・導線仕分け部分
１０６  ・・・緩和スロット
１０８  ・・・ラッチ
１１０，１６６，１６７  ・・・ヒンジ部分
１６１  ・・・ハウジング
１６４，１７４  ・・・位置合わせ機構
【図１】
0005889384.tif 000002
【図２】
0005889384.tif 000003
【図３】
0005889384.tif 000004
【図４】
0005889384.tif 000005
【図５ａ】
0005889384.tif 000006
【図５ｂ】
0005889384.tif 000007
【図６ａ】
0005889384.tif 000008
【図６ｂ】
0005889384.tif 000009
【図７】
0005889384.tif 000010
【図８ａ】
0005889384.tif 000011
【図８ｂ】
0005889384.tif 000012
【図９】
0005889384.tif 000013
【図１０】
0005889384.tif 000014
【図１１】
0005889384.tif 000015
【図１２】
0005889384.tif 000016
【図１３】
0005889384.tif 000017
【図１４】
0005889384.tif 000018
【図１５】
0005889384.tif 000019
【図１６】
0005889384.tif 000020
【図１７】
0005889384.tif 000021
【図１８】
0005889384.tif 000022
【図１９】
0005889384.tif 000023